(57)【要約】【課題】検出電極にて第１入力位置情報を検出することができ検出電極及び共通電極の組合せにて第２入力位置情報を検出することができるセンサ付き表示装置を提供する。【解決手段】センサ付き表示装置は、表示パネル、センサＳＥ及び制御部を備える。第１電極Ｒ１及び第２電極Ｒ２のそれぞれは検出電極Ｒｘのうちの第１方向に応じてその幅に勾配を有する。第１電極Ｒ１の幅の勾配と第２電極Ｒ２の幅の勾配は逆の傾向である。制御部は、第１モード及び第２モードの一方に切替えて共通電極ＣＥ及び複数の検出電極Ｒｘの駆動を制御する。【選択図】図５
2016024292.tif 000002
【特許請求の範囲】
【請求項１】
共通電極を有する表示パネルと、
それぞれ第１方向に延在し前記第１方向に交差する第２方向に配列された複数の検出電極を有するセンサであって、各々の前記検出電極はそれぞれ前記共通電極と対向し分断され前記第１方向に延在した第１電極及び第２電極を含み、前記第１電極は前記検出電極のうちの前記第１方向の前方より後方に大きな面積を有し、前記第２電極は前記検出電極のうちの前記第１方向の後方より前方に大きな面積を有する、前記センサと、
第１モード及び第２モードの一方に切替えて前記共通電極及び複数の検出電極の駆動を制御する制御部と、を備え、
前記制御部は、
前記第１モードにおいて、各々の前記検出電極の前記第１電極及び第２電極に第１書込み信号を書込み、前記第１電極から前記第１書込み信号の変化を示す第１読取り信号を読取り、前記第２電極から前記第１書込み信号の変化を示す第２読取り信号を読取り、
前記第２モードにおいて、前記共通電極に第２書込み信号を書込み、それぞれ前記共通電極と各々の前記検出電極の前記第１電極との間と前記共通電極と各々の前記検出電極の前記第２電極との間とにセンサ信号を発生させ、前記複数の検出電極のうちの少なくとも１個の検出電極の前記第１電極から前記センサ信号の変化を示す第３読取り信号を読取り、前記少なくとも１個の検出電極の前記第２電極から前記センサ信号の変化を示す第４読取り信号を読取り、同一の前記検出電極から読取った前記第３読取り信号及び第４読取り信号を１つの信号に束ねる、センサ付き表示装置。
【請求項２】
前記第１電極は、前記第１方向の前方に突出した先端部を有し、三角形状に形成され、
前記第２電極は、前記第１方向の後方に突出した先端部を有し、三角形状に形成されている、請求項１に記載のセンサ付き表示装置。
【請求項３】
共通電極を有する表示パネルと、
それぞれ第１方向に延在し前記第１方向に交差する第２方向に配列された複数の検出電極を有するセンサであって、各々の前記検出電極はそれぞれ前記共通電極と対向し分断され前記第１方向に延在した第１電極及び第２電極を含み、前記第１電極及び前記第２電極のそれぞれは前記検出電極のうちの前記第１方向に応じてその幅に勾配を有し、前記第１電極の幅の勾配と前記第２電極の幅の勾配は逆の傾向である、前記センサと、
第１モード及び第２モードの一方に切替えて前記共通電極及び複数の検出電極の駆動を制御する制御部と、を備え、
前記制御部は、
前記第１モードにおいて、各々の前記検出電極の前記第１電極及び第２電極に第１書込み信号を書込み、前記第１電極から前記第１書込み信号の変化を示す第１読取り信号を読取り、前記第２電極から前記第１書込み信号の変化を示す第２読取り信号を読取り、
前記第２モードにおいて、前記共通電極に第２書込み信号を書込み、それぞれ前記共通電極と各々の前記検出電極の前記第１電極との間と前記共通電極と各々の前記検出電極の前記第２電極との間とにセンサ信号を発生させ、前記複数の検出電極のうちの少なくとも１個の検出電極の前記第１電極から前記センサ信号の変化を示す第３読取り信号を読取り、前記少なくとも１個の検出電極の前記第２電極から前記センサ信号の変化を示す第４読取り信号を読取り、同一の前記検出電極から読取った前記第３読取り信号及び第４読取り信号を１つの信号に束ねる、センサ付き表示装置。
【請求項４】
前記第１電極は及び前記第２電極は、点対称に配置された三角形状の電極である、請求項１又は請求項３に記載のセンサ付き表示装置。
【請求項５】
前記共通電極は、それぞれ前記第２方向に延在し分断された複数の分割電極を有する、請求項１又は請求項３に記載のセンサ付き表示装置。
【請求項６】
前記制御部は、
前記第１モードにおいて、前記複数の検出電極のうち前記第２方向に連続して位置した２個以上の検出電極から読取った２以上の第１読取り信号と２以上の第２読取り信号とをそれぞれ１つの信号に束ねる、請求項１又は請求項３に記載のセンサ付き表示装置。
【請求項７】
前記第１書込み信号は、パルス信号であり、
前記第１モードにおいて、前記パルス信号のローレベルの電位は、前記共通電極の電位と同一である、請求項１又は請求項３に記載のセンサ付き表示装置。
【請求項８】
前記制御部は、
前記第１モードにおいて、前記第１書込み信号と同一波形を有する電位調整信号を前記第１書込み信号と同期して前記共通電極に書込む、請求項１又は請求項３に記載のセンサ付き表示装置。
【請求項９】
前記表示パネルの外側に位置し前記表示パネルの表示領域及び前記表示領域の外側の非表示領域に対向した絶縁基板と、
前記絶縁基板に設けられ前記非表示領域と対向し前記制御部によって駆動が制御されるシールド電極と、をさらに備え、
前記センサは、前記第１電極及び第２電極に接続され前記非表示領域と対向した複数のリード線をさらに有し、
前記制御部は、前記第１モードにおいて、前記第１書込み信号と同一波形を有する電位調整信号を前記第１書込み信号と同期して前記シールド電極に書込む、請求項１又は請求項３に記載のセンサ付き表示装置。
【請求項１０】
前記絶縁基板に設けられ前記非表示領域と対向した周辺遮光層をさらに備え、
前記シールド電極は、前記複数のリード線と前記周辺遮光層との間に位置している、請求項９に記載のセンサ付き表示装置。
【請求項１１】
前記表示パネルは画素電極をさらに有し、
前記制御部は、表示動作期間に、前記共通電極と前記画素電極との間に電圧を印加させ、前記第１モードに切替えて前記検出電極の駆動を制御する、請求項１又は請求項３に記載のセンサ付き表示装置。
【請求項１２】
共通電極を有する表示パネルと、
それぞれ第１方向に延在し前記第１方向に交差する第２方向に配列された複数の検出電極と複数のリード線とを有するセンサであって、各々の前記検出電極はそれぞれ前記共通電極と対向し分断され前記第１方向に延在した第１電極及び第２電極を含み、前記第１電極は前記検出電極のうちの前記第１方向の前方より後方に大きな面積を有し、前記第２電極は前記検出電極のうちの前記第１方向の後方より前方に大きな面積を有し、前記複数のリード線は前記第１電極及び第２電極に一対一で接続された、前記センサと、を備える、センサ付き表示装置。
【発明の詳細な説明】
【技術分野】
【０００１】
本発明の実施形態は、センサ付き表示装置に関する。
【背景技術】
【０００２】
近年、物体の接触あるいは接近を検出するセンサ（あるいは、タッチパネルと称される場合もある）を備えたセンサ付き表示装置が実用化されている。センサの一例として、静電容量の変化に基づいて指等の導体の接触あるいは接近を検出する静電容量型センサがある。このようなセンサは、検出電極で構成されている。又は、センサは、誘電体を介して対向した検出電極及びセンサ駆動電極で構成されている。
【先行技術文献】
【特許文献】
【０００３】
【特許文献１】特開２００７−２９９４０９号公報
【特許文献２】特開２００９−２４４９５８号公報
【発明の概要】
【発明が解決しようとする課題】
【０００４】
検出電極にて第１入力位置情報を検出することができ検出電極及び共通電極の組合せにて第２入力位置情報を検出することができるセンサ付き表示装置を提供する。
【課題を解決するための手段】
【０００５】
一実施形態に係るセンサ付き表示装置は、
共通電極を有する表示パネルと、
それぞれ第１方向に延在し前記第１方向に交差する第２方向に配列された複数の検出電極を有するセンサであって、各々の前記検出電極はそれぞれ前記共通電極と対向し分断され前記第１方向に延在した第１電極及び第２電極を含み、前記第１電極及び前記第２電極のそれぞれは前記検出電極のうちの前記第１方向に応じてその幅に勾配を有し、前記第１電極の幅の勾配と前記第２電極の幅の勾配は逆の傾向である、前記センサと、
第１モード及び第２モードの一方に切替えて前記共通電極及び複数の検出電極の駆動を制御する制御部と、を備え、
前記制御部は、
前記第１モードにおいて、各々の前記検出電極の前記第１電極及び第２電極に第１書込み信号を書込み、前記第１電極から前記第１書込み信号の変化を示す第１読取り信号を読取り、前記第２電極から前記第１書込み信号の変化を示す第２読取り信号を読取り、
前記第２モードにおいて、前記共通電極に第２書込み信号を書込み、それぞれ前記共通電極と各々の前記検出電極の前記第１電極との間と前記共通電極と各々の前記検出電極の前記第２電極との間とにセンサ信号を発生させ、前記複数の検出電極のうちの少なくとも１個の検出電極の前記第１電極から前記センサ信号の変化を示す第３読取り信号を読取り、前記少なくとも１個の検出電極の前記第２電極から前記センサ信号の変化を示す第４読取り信号を読取り、同一の前記検出電極から読取った前記第３読取り信号及び第４読取り信号を１つの信号に束ねる。
【０００６】
また、一実施形態に係るセンサ付き表示装置は、
共通電極を有する表示パネルと、
それぞれ第１方向に延在し前記第１方向に交差する第２方向に配列された複数の検出電極と複数のリード線とを有するセンサであって、各々の前記検出電極はそれぞれ前記共通電極と対向し分断され前記第１方向に延在した第１電極及び第２電極を含み、前記第１電極は前記検出電極のうちの前記第１方向の前方より後方に大きな面積を有し、前記第２電極は前記検出電極のうちの前記第１方向の後方より前方に大きな面積を有し、前記複数のリード線は前記第１電極及び第２電極に一対一で接続された、前記センサと、を備える。
【図面の簡単な説明】
【０００７】
【図１】図１は、第１の実施形態に係るセンサ付き液晶表示装置の構成を概略的に示す斜視図である。
【図２】図２は、図１に示した液晶表示装置の基本構成及び等価回路を概略的に示す図である。
【図３】図３は、図２に示した画素ＰＸを示す等価回路図である。
【図４】図４は、上記液晶表示装置の一部の構造を概略的に示す断面図である。
【図５】図５は、上記第１の実施形態におけるセンサの構成を概略的に示す平面図である。
【図６】図６は、上記センサの一部を拡大して概略的に示す平面図である。
【図７】図７は、上記センサの一部を含む液晶表示パネルの構造を概略的に示す断面図である。
【図８】図８は、第１モードによるセンシング方法の一例の原理を説明するための図である。
【図９】図９は、図８に続く、上記第１モードによるセンシング方法の一例の原理を説明するための図である。
【図１０】図１０は、第２モードによるセンシング方法の一例の原理を説明するための図である。
【図１１】図１１は、上記センサ付き液晶表示装置の駆動方法を説明するためのタイミングチャートであり、書込み信号Ｖｗ１，Ｖｗ２及び読取り信号Ｖｒ１（Ｖｒ１ａ，Ｖｒ１ｂ），Ｖｒ２（Ｖｒ２ａ，Ｖｒ２ｂ）を示す図である。
【図１２】図１２は、上記図９と異なる、第１モードによるセンシング方法の一例の原理を説明するための図である。
【図１３】図１３は、上記図６と異なる、上記センサの一部を拡大して概略的に示す平面図である。
【図１４】図１４は、上記図６及び図１３と異なる、上記センサの一部を拡大して概略的に示す平面図である。
【図１５】図１５は、上記図６、図１３及び図１４と異なる、上記センサの一部を拡大して概略的に示す平面図である。
【図１６】図１６は、第２の実施形態に係るセンサ付き液晶表示装置の駆動方法を説明するためのタイミングチャートであり、映像信号、コモン電圧、電位調整信号、第１書込み信号、第１読取り信号及び第２読取り信号を示す図である。
【図１７】図１７は、第３の実施形態に係るセンサ付き液晶表示装置の一部を示す概略平面図であり、第３絶縁基板、周辺遮光層、シールド電極及びフレキシブル配線基板を示す図である。
【図１８】図１８は、上記第３の実施形態に係るセンサ付き液晶表示装置の一部の構造を概略的に示す断面図である。
【図１９】図１９は、上記第３の実施形態に係るセンサ付き液晶表示装置の駆動方法を説明するためのタイミングチャートであり、映像信号、電位調整信号、第１書込み信号、第１読取り信号及び第２読取り信号を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
始めに、本発明の実施形態の基本構想について説明する。  
センサ付き表示装置は、表示パネル及びセンサを備え、入力手段を用いて表示面側から入力されるデータを検出するように構成されている。上記センサは静電容量型センサである。入力手段としては、ポインティングデバイス（例えばペン状デバイス、さらに例えばスタイラス）や人体（例えば指）等の導体を利用することができる。これにより、表示装置は、表示装置の入力面に指等が接触又は接近した個所の位置情報を検出することができる。
【００１０】
例えば、センサは検出電極で構成され、検出電極にて第１入力位置情報を検出することができる。例えば、上記特許文献１には、検出電極にて第１入力位置情報を検出することができる技術が開示されている。上記特許文献１の検出電極は、複数の電極（１０２）、複数の電極（１０３）及び複数の電極（１０４）の３種類の電極を有している。第１入力位置情報のＹ座標は複数の電極（１０２）で大まかに検出することができる。第１入力位置情報のＸ座標は複数の電極（１０３）及び複数の電極（１０４）で大まかに検出することができる。  
しかしながら、上記のように、Ｙ座標を検出するための電極とＸ座標を検出するための電極とは異なり、これらの電極はＹ軸に沿って配列されている。このため、Ｙ座標を細かく又は正確に検出することは困難である。  
また、Ｘ座標は、複数の電極（１０３）及び複数の電極（１０４）の三角形状によって生成される電場勾配によって決定されるため、Ｘ座標に関しても細かく（正確に）検出することは困難である。  
さらに、複数の電極（１０３）は電気的に接続され、複数の電極（１０４）も電気的に接続されている。このため、マルチタッチ検出が困難となる。ここで、マルチタッチ検出とは、例えば、表示装置の入力面に複数本の指が接触又は接近した個所の位置情報の検出を言う。  
このため、Ｘ座標及びＹ座標を正確に検出することができ、マルチタッチ検出を正確に行うことのできる技術が求められている。
【００１１】
一方、センサは検出電極及び共通電極の組合せで機能し、検出電極及び共通電極の組合せにて第２入力位置情報を検出することができる。例えば、特許文献２には、検出電極（４４）及び共通電極（４３）の組合せにて第２入力位置情報を検出することができる技術が開示されている。  
上記のように構成されたセンサでは、検出電極（４４）及び共通電極（４３）により、第２入力位置情報のＸ座標及びＹ座標を細かく又は正確に検出することができる。また、上記センサでは、マルチタッチ検出を正確に行うことも可能となる。
【００１２】
ところで、上記検出電極による第１入力位置情報の検出と、検出電極及び共通電極の組合せによる第２入力位置情報の検出と、を比較すると、次のことが分かる。すなわち、第２入力位置情報の検出は、第１入力位置情報の検出より細かく行う必要があり、第１入力位置情報の検出より長時間掛かってしまう。
【００１３】
そこで、本発明の実施形態においては、検出電極にて第１入力位置情報を検出することができ検出電極及び共通電極の組合せにて第２入力位置情報を検出することができるセンサ付き表示装置を提供するものである。  
例えば、入力領域の全体を対象とし、検出電極にて第１入力位置情報を検出することにより、短時間に入力位置のＸ座標及びＹ座標を大まかに検出することができるものである。これにより、上記第１入力位置情報に基づいて入力領域のうちから検出対象の領域を特定することができる。その後、入力領域のうちの特定領域のみを対象とし、検出電極及び共通電極の組合せにて第２入力位置情報を検出することにより、特定領域における入力位置のＸ座標及びＹ座標を細かく又は正確に検出することができるものである。  
次に、上記着想を具体化する手段及び手法について説明する。
【００１４】
（第１の実施形態）  
以下、図面を参照しながら第１の実施形態に係るセンサ付き表示装置について詳細に説明する。なお、本実施形態において、表示装置が液晶表示装置である場合について説明する。図１は、本実施形態に係るセンサ付き液晶表示装置の構成を概略的に示す斜視図である。
【００１５】
図１に示すように、液晶表示装置ＤＳＰは、アクティブマトリクス型の液晶表示パネルＰＮＬ、液晶表示パネルＰＮＬを駆動する駆動ＩＣチップＩＣ１、静電容量型のセンサＳＥ、センサＳＥを駆動する駆動ＩＣチップＩＣ２、液晶表示パネルＰＮＬを照明するバックライトユニットＢＬ、制御モジュールＣＭ、フレキシブル配線基板ＦＰＣ１、ＦＰＣ２、ＦＰＣ３などを備えている。
【００１６】
液晶表示パネルＰＮＬは、平板状の第１基板ＳＵＢ１と、第１基板ＳＵＢ１に対向配置された平板状の第２基板ＳＵＢ２と、第１基板ＳＵＢ１と第２基板ＳＵＢ２との間に挟持された液晶層（後述する液晶層ＬＱ）と、を備えている。なお、本実施形態において、第１基板ＳＵＢ１をアレイ基板と、第２基板ＳＵＢ２を対向基板と、それぞれ言い換えることができる。液晶表示パネルＰＮＬは、画像を表示する表示領域（アクティブエリア）ＤＡを備えている。この液晶表示パネルＰＮＬは、バックライトユニットＢＬからのバックライトを選択的に透過することで画像を表示する透過表示機能を備えた透過型である。なお、液晶表示パネルＰＮＬは、透過表示機能に加えて、外光を選択的に反射することで画像を表示する反射表示機能を備えた半透過型であってもよい。
【００１７】
バックライトユニットＢＬは、第１基板ＳＵＢ１の背面側に配置されている。このようなバックライトユニットＢＬとしては、種々の形態が適用可能であり、また、光源として発光ダイオード（ＬＥＤ）を利用したもの等が適用可能であり、詳細な構造については説明を省略する。なお、液晶表示パネルＰＮＬが反射表示機能のみを備えた反射型である場合には、バックライトユニットＢＬは省略される。
【００１８】
センサＳＥは、複数の検出電極Ｒｘを備えている。これらの検出電極Ｒｘは、例えば液晶表示パネルＰＮＬの画像を表示する画面側の外面ＥＳの上方に設けられている。このため、検出電極Ｒｘは、外面ＥＳに接していてもよく、又は外面ＥＳから離れて位置していてもよい。後者の場合、外面ＥＳと検出電極Ｒｘとの間には、絶縁膜等の部材が介在している。本実施形態において、検出電極Ｒｘは外面ＥＳに接している。ここで、外面ＥＳは、第２基板ＳＵＢ２の第１基板ＳＵＢ１と対向する面とは反対側の面であり、画像を表示する表示面を含んでいる。
【００１９】
また、図示した例では、各検出電極Ｒｘは、概ね行方向Ｘに延出し、行方向Ｘに交差する列方向Ｙに並んでいる。ここでは、行方向Ｘ及び列方向Ｙは、互いに直交している。本実施形態において、行方向Ｘが第１方向であり、列方向Ｙが第２方向である。液晶表示パネルＰＮＬの厚み方向Ｚは、第３方向であり、それぞれ行方向Ｘ及び列方向Ｙに直交している。  
なお後述するが、各検出電極Ｒｘは、列方向Ｙに延出し行方向Ｘに並んでいてもよい。この場合、列方向Ｙが第１方向となり、行方向Ｘが第２方向となる。
【００２０】
第１駆動部としての駆動ＩＣチップＩＣ１は、液晶表示パネルＰＮＬの第１基板ＳＵＢ１上に搭載されている。フレキシブル配線基板ＦＰＣ１は、液晶表示パネルＰＮＬと制御モジュールＣＭとを接続している。フレキシブル配線基板ＦＰＣ２は、センサＳＥの検出電極Ｒｘと制御モジュールＣＭとを接続している。第２駆動部としての駆動ＩＣチップＩＣ２は、フレキシブル配線基板ＦＰＣ２上に搭載されている。フレキシブル配線基板ＦＰＣ３は、バックライトユニットＢＬと制御モジュールＣＭとを接続している。ここで、制御モジュールＣＭをアプリケーションプロセッサと言い換えることができる。
【００２１】
駆動ＩＣチップＩＣ１及び駆動ＩＣチップＩＣ２は、フレキシブル配線基板ＦＰＣ２等を介して接続されている。例えば、フレキシブル配線基板ＦＰＣ２が第１基板ＳＵＢ１上に接続された分岐部ＦＰＣＢを有している場合、駆動ＩＣチップＩＣ１及び駆動ＩＣチップＩＣ２は、分岐部ＦＰＣＢ及び第１基板ＳＵＢ１上の配線を介して接続されていてもよい。また、駆動ＩＣチップＩＣ１及び駆動ＩＣチップＩＣ２は、フレキシブル配線基板ＦＰＣ１及びＦＰＣ２を介して接続されていてもよい。
【００２２】
駆動ＩＣチップＩＣ２は、センサＳＥの駆動時期を知らせるタイミング信号を駆動ＩＣチップＩＣ１に与えることができる。又は、駆動ＩＣチップＩＣ１は、後述する共通電極ＣＥの駆動時期を知らせるタイミング信号を駆動ＩＣチップＩＣ２に与えることができる。又は、制御モジュールＣＭは、駆動ＩＣチップＩＣ１及びＩＣ２にタイミング信号を与えることができる。上記タイミング信号により、駆動ＩＣチップＩＣ１の駆動と、駆動ＩＣチップＩＣ２の駆動との同期化を図ることができる。
【００２３】
図２は、図１に示した液晶表示装置ＤＳＰの基本構成及び等価回路を概略的に示す図である。  
図２に示すように、液晶表示装置ＤＳＰは、液晶表示パネルＰＮＬなどに加えて、表示領域ＤＡの外側の非表示領域ＮＤＡに位置した駆動ＩＣチップＩＣ１、ゲート線駆動回路ＧＤなどを備えている。本実施形態において、駆動ＩＣチップＩＣ１は、ソース線駆動回路ＳＤ及び共通電極駆動回路ＣＤを備えている。なお、駆動ＩＣチップＩＣ１は、ソース線駆動回路ＳＤ及び共通電極駆動回路ＣＤの少なくとも一部を備えていてもよい。非表示領域ＮＤＡの形状は、表示領域ＤＡを囲む額縁状（矩形枠状）である。
【００２４】
液晶表示パネルＰＮＬは、表示領域ＤＡにおいて、複数の画素ＰＸを備えている。複数の画素ＰＸは、行方向Ｘ及び列方向Ｙにマトリクス状に設けられ、ｍ×ｎ個配置されている（但し、ｍ及びｎは正の整数である）。また、液晶表示パネルＰＮＬは、表示領域ＤＡにおいて、ｎ本のゲート線Ｇ（Ｇ１〜Ｇｎ）、ｍ本のソース線Ｓ（Ｓ１〜Ｓｍ）、共通電極ＣＥなどを備えている。
【００２５】
ゲート線Ｇは、行方向Ｘに略直線的に延出し、表示領域ＤＡの外側に引き出され、ゲート線駆動回路ＧＤに接続されている。また、ゲート線Ｇは、列方向Ｙに間隔を置いて並べられている。ソース線Ｓは、列方向Ｙに略直線的に延出し、表示領域ＤＡの外側に引き出され、ソース線駆動回路ＳＤに接続されている。また、ソース線Ｓは、行方向Ｘに間隔を置いて並べられ、ゲート線Ｇと交差している。なお、ゲート線Ｇ及びソース線Ｓは、必ずしも直線的に延出していなくてもよく、それらの一部が屈曲していてもよい。共通電極ＣＥは、表示領域ＤＡ内に設けられ、共通電極駆動回路ＣＤに電気的に接続されている。共通電極ＣＥの詳細については後述する。
【００２６】
図３は、図２に示した画素ＰＸを示す等価回路図である。  
図３に示すように、各画素ＰＸは、画素スイッチング素子ＰＳＷ、画素電極ＰＥ、共通電極ＣＥ、液晶層ＬＱ等を備えている。画素スイッチング素子ＰＳＷは、例えば薄膜トランジスタで形成されている。画素スイッチング素子ＰＳＷは、ゲート線Ｇ及びソース線Ｓと電気的に接続されている。画素スイッチング素子ＰＳＷは、トップゲート型あるいはボトムゲート型のいずれであってもよい。また、画素スイッチング素子ＰＳＷの半導体層は、例えば、ポリシリコンによって形成されているが、アモルファスシリコンや酸化物半導体などによって形成されていてもよい。画素電極ＰＥは、画素スイッチング素子ＰＳＷに電気的に接続されている。画素電極ＰＥは、共通電極ＣＥと対向している。共通電極ＣＥ、絶縁膜及び画素電極ＰＥは、保持容量ＣＳを形成している。
【００２７】
図４は、液晶表示装置ＤＳＰの一部の構造を概略的に示す断面図である。  
すなわち、液晶表示装置ＤＳＰは、上述した液晶表示パネルＰＮＬ及びバックライトユニットＢＬに加えて、第１光学素子ＯＤ１及び第２光学素子ＯＤ２等も備えている。なお、図示した液晶表示パネルＰＮＬは、表示モードとしてＦＦＳ（Ｆｒｉｎｇｅ  Ｆｉｅｌｄ  Ｓｗｉｔｃｈｉｎｇ）モードに対応した構成を有しているが、他の表示モードに対応した構成を有していても良い。例えば、液晶表示パネルＰＮＬは、ＦＦＳモード等の主として基板主面に略平行な横電界を利用するＩＰＳ（Ｉｎ−Ｐｌａｎｅ  Ｓｗｉｔｃｈｉｎｇ）モードに対応した構成を有していてもよい。横電界を利用する表示モードでは、例えば第１基板ＳＵＢ１に画素電極ＰＥ及び共通電極ＣＥの双方が備えられた構成が適用可能である。又は、液晶表示パネルＰＮＬは、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モード等の主として基板主面に略垂直な縦電界を利用するモードに対応した構成を有していてもよい。縦電界を利用する表示モードでは、例えば第１基板ＳＵＢ１に画素電極ＰＥが備えられ、第２基板ＳＵＢ２に共通電極ＣＥが備えられた構成が適用可能である。なお、ここでの基板主面とは、互いに直交する行方向Ｘと列方向Ｙとで規定されるＸ−Ｙ平面と平行な面である。
【００２８】
液晶表示パネルＰＮＬは、第１基板ＳＵＢ１、第２基板ＳＵＢ２、及び、液晶層ＬＱを備えている。第１基板ＳＵＢ１と第２基板ＳＵＢ２とは所定の間隙を形成した状態で貼り合わされている。液晶層ＬＱは、第１基板ＳＵＢ１と第２基板ＳＵＢ２との間の間隙に封入されている。
【００２９】
第１基板ＳＵＢ１は、ガラス基板や樹脂基板などの光透過性を有する第１絶縁基板１０を用いて形成されている。第１基板ＳＵＢ１は、第１絶縁基板１０の第２基板ＳＵＢ２に対向する側に、ソース線Ｓ、共通電極ＣＥ、画素電極ＰＥ、第１絶縁膜１１、第２絶縁膜１２、第３絶縁膜１３、第１配向膜ＡＬ１などを備えている。
【００３０】
第１絶縁膜１１は、第１絶縁基板１０の上に配置されている。なお、詳述しないが、本実施形態では、例えばトップゲート構造の画素スイッチング素子が適用されている。このような実施形態では、第１絶縁膜１１は、厚み方向Ｚに積層された複数の絶縁層を含んでいる。例えば、第１絶縁膜１１は、第１絶縁基板１０と画素スイッチング素子の半導体層との間に介在するアンダーコート層、半導体層とゲート電極との間に介在するゲート絶縁層、ゲート電極とソース・ドレイン電極との間に介在する層間絶縁層などの各種絶縁層を含んでいる。ゲート配線は、ゲート電極と同様に、ゲート絶縁層と層間絶縁層との間に配置されている。ソース線Ｓは、第１絶縁膜１１の上に形成されている。また、画素スイッチング素子のソース電極やドレイン電極なども第１絶縁膜１１の上に形成されている。図示した例では、ソース線Ｓは、列方向Ｙに延出している。
【００３１】
第２絶縁膜１２は、ソース線Ｓ及び第１絶縁膜１１の上に配置されている。共通電極ＣＥは、第２絶縁膜１２の上に形成されている。このような共通電極ＣＥは、インジウム錫酸化物（Ｉｎｄｉｕｍ  Ｔｉｎ  Ｏｘｉｄｅ：ＩＴＯ）、インジウ亜鉛酸化物、（Ｉｎｄｉｕｍ  Ｚｉｎｃ  Ｏｘｉｄｅ：ＩＺＯ）、酸化亜鉛（Ｚｉｎｃ  Ｏｘｉｄｅ：ＺｎＯ）などの透明な導電材料によって形成されている。なお、図示した例では、共通電極ＣＥの上に金属層ＭＬが形成され、共通電極ＣＥを低抵抗化しているが、金属層ＭＬは省略してもよい。
【００３２】
第３絶縁膜１３は、共通電極ＣＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＥと対向している。また、各画素電極ＰＥは、共通電極ＣＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００３３】
一方、第２基板ＳＵＢ２は、ガラス基板や樹脂基板などの光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備えている。
【００３４】
ブラックマトリクスＢＭは、第２絶縁基板２０の内面に形成され、ゲート線Ｇ、ソース線Ｓ、画素スイッチング素子ＰＳＷを遮光している。カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは、赤色画素に配置された赤色フィルタであり、赤色の樹脂材料によって形成されている。カラーフィルタＣＦＧは、緑色画素に配置された緑色フィルタであり、緑色の樹脂材料によって形成されている。カラーフィルタＣＦＢは、青色画素に配置された青色フィルタであり、青色の樹脂材料によって形成されている。
【００３５】
図示した例は、カラー画像を構成する最小単位である単位画素が赤色画素、緑色画素、及び、青色画素の３個の色画素によって構成された場合に相当する。但し、単位画素は、上記の３個の色画素の組み合わせによるものに限らない。例えば、単位画素は、赤色画素、緑色画素、青色画素に加えて、白色画素の４個の色画素によって構成されてもよい。この場合、白色あるいは透明のフィルタが白色画素に配置されてもよいし、白色画素のフィルタそのものを省略しても良い。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００３６】
検出電極Ｒｘは、第２絶縁基板２０と第２光学素子ＯＤ２との間に位置している。検出電極Ｒｘは、第２絶縁基板２０の表面（外面ＥＳ）の上方に形成されている。この検出電極Ｒｘの詳細な構造については後述する。また、ここでは、簡略化して図示しており、後述するリード線Ｌ（Ｌ１，Ｌ２）の図示を省略している。検出電極Ｒｘは、第３絶縁膜１３、第１配向膜ＡＬ１、液晶層ＬＱ、第２配向膜ＡＬ２、オーバーコート層ＯＣ、カラーフィルタＣＦＲ、ＣＦＧ、ＣＦＢ、第２絶縁基板２０といった誘電体を介して共通電極ＣＥと対向している。
【００３７】
第１光学素子ＯＤ１は、第１絶縁基板１０とバックライトユニットＢＬとの間に配置されている。第２光学素子ＯＤ２は、検出電極Ｒｘの上方に配置されている。第１光学素子ＯＤ１及び第２光学素子ＯＤ２は、それぞれ少なくとも偏光板を含んでおり、必要に応じて位相差板を含んでいてもよい。第１光学素子ＯＤ１に含まれる偏光板の吸収軸は、第２光学素子ＯＤ２に含まれる偏光板の吸収軸と互いに直交している。また、液晶表示装置ＤＳＰは入力面ＩＳに指等が接触又は接近した個所の位置情報を検出することができる。本実施形態において、液晶表示装置ＤＳＰの入力面ＩＳは第２光学素子ＯＤ２の表面である。
【００３８】
但し、入力面ＩＳは、第２光学素子ＯＤ２の表面に限定されるものではなく、種々変形可能である。例えば、液晶表示装置ＤＳＰの表面に、第１絶縁基板１０及び第２絶縁基板２０と異なる第３絶縁基板が位置している場合、入力面ＩＳは第３絶縁基板の表面である。第３絶縁基板は、ガラス基板や樹脂基板などの光透過性を有する基板である。第３絶縁基板がガラス基板である場合、第３絶縁基板はカバーガラスとして機能する。
【００３９】
次に、本実施形態の液晶表示装置ＤＳＰが備える静電容量型のセンサＳＥについて説明する。図５は、本実施形態におけるセンサＳＥの構成を概略的に示す平面図である。図５において、上記駆動ＩＣチップＩＣ１の図示を省略しているが、上述したように共通電極駆動回路ＣＤは駆動ＩＣチップＩＣ１に設けられている。  
図５に示すように、本実施形態のセンサＳＥは、第２基板ＳＵＢ２側の検出電極Ｒｘ及びリード線Ｌ１，Ｌ２を備え、第１基板ＳＵＢ１側の共通電極ＣＥを利用している。つまり、共通電極ＣＥは、表示用の電極として機能するとともに、センサ駆動電極として機能する。  
共通電極ＣＥ及び検出電極Ｒｘは、表示領域ＤＡに配置されている。図示した例では、共通電極ＣＥは、表示領域ＤＡにおいて、それぞれ行方向Ｘに間隔を置いて並び、列方向Ｙに略直線的に延出し、帯状に形成された複数の分割電極Ｃ１を備えている。
【００４０】
非表示領域ＮＤＡは、第２基板ＳＵＢ２の左側の第１領域Ａ１（列方向Ｙに延在した帯状の領域）、第２基板ＳＵＢ２の右側の第２領域Ａ２（列方向Ｙに延在した帯状の領域）、第２基板ＳＵＢ２の下側の第３領域Ａ３（行方向Ｘに延在した帯状の領域）、及び第２基板ＳＵＢ２の上側の第４領域Ａ４（行方向Ｘに延在した帯状の領域）を有している。本実施形態において、表示領域ＤＡは矩形状であり、複数のリード線Ｌ１，Ｌ２は第２基板ＳＵＢ２の第１領域Ａ１、第２領域Ａ２及び第３領域Ａ３に位置している。
【００４１】
検出電極Ｒｘは、表示領域ＤＡにおいて、それぞれ列方向Ｙに間隔をおいて並び、行方向Ｘに略直線的に延出している。つまり、ここでは、検出電極Ｒｘは、分割電極Ｃ１と交差する方向に延出している。共通電極ＣＥ（列方向Ｙに延在する複数の分割電極Ｃ１）と行方向Ｘに延在する複数の検出電極Ｒｘとは、上記の通り、各種誘電体を挟んで対向している。
【００４２】
検出電極Ｒｘは、分断され行方向Ｘに延在した第１電極Ｒ１及び第２電極Ｒ２を含んでいる。第１電極Ｒ１は、検出電極Ｒｘのうちの行方向Ｘの前方より後方に大きな面積を有している。第１電極Ｒ１は、行方向Ｘの前方に突出した先端部を有し、三角形状に形成されている。第２電極Ｒ２は、検出電極Ｒｘのうちの行方向Ｘの後方より前方に大きな面積を有している。第２電極Ｒ２は、行方向Ｘの後方に突出した先端部を有し、三角形状に形成されている。列方向Ｙにおいて、複数の検出電極Ｒｘの第１電極Ｒ１及び第２電極Ｒ２は、交互に並べられている。第１電極Ｒ１の面積と第２電極Ｒ２の面積とは同等（例えば、同一）である方が望ましい。  
なお図５においては、液晶表示装置ＤＳＰの平面視で左上を、行方向Ｘ及び列方向Ｙの基準点としているが、これに限定されず、基準点は任意に定めてよい。図５では、平面視で左から右を行列方向Ｘの正、右から左を負としている。また図５では、平面視で上から下を列方向Ｙの正、下から上を列方向Ｙの負としている。  
なお、上述を言い換えると、第１電極Ｒ１及び第２電極Ｒ２は、行方向Ｘに対して幅に勾配を有し、当該幅の勾配は第１電極Ｒ１及び第２電極Ｒ２とで逆の傾向を有している。より具体的には、第１電極Ｒ１は、行方向Ｘが負となる方向に対してその幅が増加し、第２電極Ｒ２は行方向Ｘが正となる方向に対してその幅が増加する。なお、行方向Ｘの任意の点に対して、第１電極Ｒ１と第２電極Ｒ２の幅の合計は同じであることが好ましい。  
さらに、上述を言い換えると、第１電極Ｒ１及び第２電極Ｒ２は三角形状の電極であり、第１電極Ｒ１と第２電極Ｒ２は点対称に配置されていると言える。
【００４３】
なお、分割電極Ｃ１の個数やサイズ、形状は特に限定されるものではなく種々変更可能である。例えば、後述する例のように、分割電極Ｃ１が行方向Ｘに延在し、検出電極Ｒｘが列方向Ｙに延在してもよい。
【００４４】
リード線Ｌ１，Ｌ２は、非表示領域ＮＤＡ内にて液晶表示パネルＰＮＬの外面ＥＳの上方に設けられている。リード線Ｌ１は、第１電極Ｒ１と一対一で電気的に接続され、第２基板ＳＵＢ２の第１領域Ａ１及び第３領域Ａ３に配置されている。リード線Ｌ１の各々は、第１電極Ｒ１からのセンサ出力値（読取信号）を出力する。リード線Ｌ２は、第２電極Ｒ２と一対一で電気的に接続され、第２基板ＳＵＢ２の第２領域Ａ２に配置されている。リード線Ｌ２の各々は、第２電極Ｒ２からのセンサ出力値（読取信号）を出力する。上記のようなリード線Ｌ１，Ｌ２のレイアウトは、第１領域Ａ１及び第２領域Ａ２の行方向Ｘの幅の均一化、及び、液晶表示装置ＤＳＰの狭額縁化に対応したものである。リード線Ｌは、例えば、検出電極Ｒｘと同様に、液晶表示パネルＰＮＬの外面ＥＳの上方に配置されている。  
なお、上述を言い換えると、第１電極Ｒ１は、延在する方向に対してリード線Ｌ１との接続部分から距離に応じてその幅が変化すると言える。図５では、リード線Ｌ１との接続部分に近いほどその幅が大きく、接続部分から遠ざかるほどその幅が小さくなる。なお当該幅の変化は連続的でもよく、段階的でもよい。また図５では、第２電極Ｒ２とリード線Ｌ２の関係は、第１電極Ｒ１とリード線Ｌ１の関係と同様のである。第２電極Ｒ２は、延在する方向に対してリード線Ｌ２との接続部分から距離に応じてその幅が変化する。図５では、第２電極Ｒ２は、リード線Ｌ２との接続部分に近いほどその幅が大きく、接続部分から遠ざかるほどその幅が小さくなる。
【００４５】
液晶表示装置ＤＳＰは、さらに、非表示領域ＮＤＡに配置された共通電極駆動回路（第１駆動回路）ＣＤを備えている。分割電極Ｃ１のそれぞれは、共通電極駆動回路ＣＤに電気的に接続されている。共通電極駆動回路ＣＤは、分割電極Ｃ１に対して、画像を表示する表示駆動時にコモン駆動信号を供給する。なお、共通電極駆動回路ＣＤは、センシングを行うセンシング駆動時に、分割電極Ｃ１にセンサ駆動信号を与えることができ得る。
【００４６】
フレキシブル配線基板ＦＰＣ２は、非表示領域ＮＤＡにて、液晶表示パネルＰＮＬの外面ＥＳの上方に配置されたＯＬＢ（Outer Lead Bonding）パッド群に接続されている。ＯＬＢパッド群の各パッドは、リード線Ｌ１，Ｌ２を経由して検出電極Ｒｘ（第１電極Ｒ１、第２電極Ｒ２）に電気的に接続されている。この実施形態において、リード線Ｌは、導電材料としての金属によって形成されている。リード線Ｌを透明な導電材料より電気抵抗値の非常に低い金属材料で形成することにより、リード線Ｌの幅を小さくすることができる。さらに、上記ＯＬＢパッド群を第２基板ＳＵＢ２の第３領域Ａ３の１個所に密集させることができるため、フレキシブル配線基板ＦＰＣ２の小型化及び低コスト化を図ることができる。
【００４７】
検出回路ＲＣは、例えば、駆動ＩＣチップＩＣ２に内蔵されている。この検出回路ＲＣは、検出電極Ｒｘからのセンサ出力値に基づいて、液晶表示装置ＤＳＰの入力面ＩＳへの導体の接触あるいは接近を検出する。さらに、検出回路ＲＣは、導体が接触あるいは接近した個所の位置情報を検出することも可能である。なお、検出回路ＲＣは、制御モジュールＣＭに備えられていてもよい。
【００４８】
図６は、図５に示したセンサＳＥの一部を拡大して概略的に示す平面図である。  
図６に示すように、第１電極Ｒ１は、複数の検出線ＬＢ１と、リード線Ｌ１に接続された接続線ＬＣ１と、を有している。検出線ＬＢ１は、表示領域ＤＡにおいて概ね行方向Ｘに延出し、非表示領域ＮＤＡにおいて接続線ＬＣ１に接続されている。図示した例では、検出線ＬＢ１の各々は、波形（より具体的には三角波形）に形成されている。これらの検出線ＬＢ１は、列方向Ｙに略等間隔に並んでいる。各第１電極Ｒ１は３本の検出線ＬＢ１を有している。上記３本の検出線ＬＢ１のうち、平面視で上側の検出線ＬＢ１は表示領域ＤＡの行方向Ｘの全体（左領域、中央領域及び右領域）に位置し、列方向Ｙの真ん中の検出線ＬＢ１は表示領域ＤＡの行方向Ｘの３分の２（左領域及び中央領域）に位置し、平面視で下側の検出線ＬＢ１は表示領域ＤＡの行方向Ｘの３分の１（左領域）に位置している。上記３本の検出線ＬＢ１は、三角形状の第１電極Ｒ１を形成している。
【００４９】
第２電極Ｒ２は、複数の検出線ＬＢ２と、リード線Ｌ２に接続された接続線ＬＣ２と、を有している。検出線ＬＢ２は、表示領域ＤＡにおいて概ね行方向Ｘに延出し、非表示領域ＮＤＡにおいて接続線ＬＣ２に接続されている。図示した例では、検出線ＬＢ２の各々は、波形（より具体的には三角波形）に形成されている。これらの検出線ＬＢ２は、列方向Ｙに略等間隔に並んでいる。各第２電極Ｒ２は３本の検出線ＬＢ２を有している。上記３本の検出線ＬＢ２のうち、平面視で上側の検出線ＬＢ２は表示領域ＤＡの行方向Ｘの３分の１（右領域）に位置し、列方向Ｙの真ん中の検出線ＬＢ２は表示領域ＤＡの行方向Ｘの３分の２（右領域及び中央領域）に位置し、平面視で下側の検出線ＬＢ２は表示領域ＤＡの行方向Ｘの全体（右領域、中央領域及び左領域）に位置している。上記３本の検出線ＬＢ２は、三角形状の第２電極Ｒ２を形成している。  
ここで、上記真ん中の検出線ＬＢ１と上記上側の検出線ＬＢ２とは行方向Ｘに対向している。また、上記下側の検出線ＬＢ１と上記真ん中の検出線ＬＢ２とは行方向Ｘに対向している。
【００５０】
隣り合う検出電極Ｒｘの間には、ダミー電極ＤＲが配置されている。ダミー電極ＤＲは、検出線ＬＢ１，ＬＢ２と、平行、且つ略等間隔に配置された複数のダミー線で形成されている。例えば、ダミー線は、列方向Ｙに並べられ、行方向Ｘに延出し、波形（より具体的には三角波形）に形成され、複数に分断されている。ダミー線は、リード線Ｌ１，Ｌ２などの配線には接続されず、電気的にフローティング状態にある。ダミー電極ＤＲは、物体の接触あるいは接近の検出には寄与しない。そのため、ダミー電極ＤＲは、物体を検出するとの観点からは設けなくもよい。しかし、ダミー電極ＤＲを設けないと、液晶表示パネルＰＮＬの画面が光学的に不均一となる恐れがある。そのため、ダミー電極ＤＲを設けることが好ましい。  
これにより、表示領域ＤＡでの金属線（検出線ＬＢ１，ＬＢ２、ダミー線）の密度のばらつきを一層低減することができるため、金属線のパターンを一層視認させ難くすることができる。なお、ダミー電極ＤＲ（ダミー線）は必要に応じて設けられていればよい。
【００５１】
上記のように、本実施形態では、検出電極Ｒｘ（第１電極Ｒ１、第２電極Ｒ２）及びダミー電極ＤＲの構成を例示的に示したものであり、検出電極Ｒｘ等の構成は種々変形可能である。例えば、第１電極Ｒ１に関しては、検出線ＬＢ１の形状の変形、検出線ＬＢ１の本数の増減等が可能である。
【００５２】
この実施形態において、検出電極Ｒｘ（第１電極Ｒ１及び第２電極Ｒ２）やダミー電極ＤＲは、導電材料としての金属材料で形成されている。上記金属材料としては、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などを例示的に列挙することができる。このため、リード線Ｌ１，Ｌ２と同様、検出線ＬＢ１，ＬＢ２、接続線ＬＣ１，ＬＣ２及びダミー線も、金属線である。上記のように金属を利用することにより、検出電極Ｒｘの電気抵抗値を低くすることができるため、検出に要する時間を短縮することができる点で望ましい。また、検出電極Ｒｘに金属線を利用することは、液晶表示パネルＰＮＬの大型化及び高精細化に対して有利になる。
【００５３】
なお、検出電極Ｒｘに用いる材料は、金属に限定されるものではなく種々変更可能である。例えば、後述する例のように、検出電極Ｒｘは、ＩＴＯ、ＩＺＯ、ＺｎＯ等の透明な導電材料によって形成された透明導電層で形成されていてもよい。又は、検出電極Ｒｘは、透明導電層と金属線との組合せ（集合体）によって形成されていてもよい。
【００５４】
また、本実施形態において、検出線ＬＢ１，ＬＢ２及びダミー線の太さ（幅）は、同一である。但し、図６では、検出線ＬＢ１と、検出線ＬＢ２と、ダミー線とを視覚的に識別するため、各線の太さを異ならせている。
【００５５】
図７は、上記センサＳＥの一部を含む液晶表示パネルＰＮＬの構造を概略的に示す断面図である。なお、ここでは説明に必要な主要部のみを図示している。  
図７に示すように、共通電極ＣＥ及び画素電極ＰＥは、第１基板ＳＵＢ１の第２基板ＳＵＢ２と対向する内面側に位置している。すなわち、共通電極ＣＥは、第２絶縁膜１２の上に形成され、第３絶縁膜１３によって覆われている。画素電極ＰＥは、第３絶縁膜１３の上に形成され、共通電極ＣＥと対向している。図示した例では、各分割電極Ｃ１の真上には、８画素分の画素電極ＰＥが配置されているが、各分割電極Ｃ１の真上に位置する画素電極ＰＥの個数はこの例に限らない。なお、ソース線などの各種配線や第１配向膜の図示は省略している。
【００５６】
ブラックマトリクスＢＭ、カラーフィルタＣＦＲ、ＣＦＧ、ＣＦＢ、オーバーコート層ＯＣ、及び周辺遮光層ＬＳは、第２基板ＳＵＢ２の第１基板ＳＵＢ１と対向する内面側に位置している。すなわち、表示領域ＤＡにおいては、各画素電極ＰＥと対向する位置にカラーフィルタＣＦＲ、ＣＦＧ、ＣＦＢが形成されている。ブラックマトリクスＢＭは、これらのカラーフィルタＣＦＲ、ＣＦＧ、ＣＦＢの境界に位置している。周辺遮光層ＬＳは、非表示領域ＮＤＡ内に設けられ、第２絶縁基板２０の内面に形成されている。周辺遮光層ＬＳは、枠状（矩形枠状）に形成されている。周辺遮光層ＬＳは、ブラックマトリクスＢＭと同様の材料によって形成されている。オーバーコート層ＯＣは、表示領域ＤＡ及び非表示領域ＮＤＡに亘って延在している。なお、第２配向膜の図示は省略している。なお、リード線Ｌ１，Ｌ２は、周辺遮光層ＬＳと重なる位置に配置されている。
【００５７】
次に、上記したＦＦＳモードの液晶表示装置ＤＳＰにおいて画像を表示する表示駆動時の動作について説明する。  
まず、液晶層ＬＱに電圧が印加されていないオフ状態について説明する。オフ状態は、画素電極ＰＥと共通電極ＣＥとの間に電位差が形成されていない状態に相当する。このようなオフ状態では、液晶層ＬＱに含まれる液晶分子は、第１配向膜ＡＬ１及び第２配向膜ＡＬ２の配向規制力によりＸ−Ｙ平面内において一方向に初期配向している。バックライトユニットＢＬからのバックライトの一部は、第１光学素子ＯＤ１の偏光板を透過し、液晶表示パネルＰＮＬに入射する。液晶表示パネルＰＮＬに入射した光は、偏光板の吸収軸と直交する直線偏光である。このような直線偏光の偏光状態は、オフ状態の液晶表示パネルＰＮＬを通過した際にほとんど変化しない。このため、液晶表示パネルＰＮＬを透過した直線偏光のほとんどが、第２光学素子ＯＤ２の偏光板によって吸収される（黒表示）。このようにオフ状態で液晶表示パネルＰＮＬが黒表示となるモードをノーマリーブラックモードという。
【００５８】
続いて、液晶層ＬＱに電圧が印加されたオン状態について説明する。オン状態は、画素電極ＰＥと共通電極ＣＥとの間に電位差が形成された状態に相当する。つまり、共通電極ＣＥに対しては共通電極駆動回路ＣＤからコモン駆動信号（コモン電圧）が供給される。その一方で、画素電極ＰＥには、コモン電圧に対して電位差を形成するような映像信号が供給される。これにより、オン状態では、画素電極ＰＥと共通電極ＣＥとの間にフリンジ電界が形成される。
【００５９】
このようなオン状態では、液晶分子は、Ｘ−Ｙ平面内において、初期配向方向とは異なる方位に配向する。オン状態では、第１光学素子ＯＤ１の偏光板の吸収軸と直交する直線偏光は、液晶表示パネルＰＮＬに入射し、その偏光状態は、液晶層ＬＱを通過する際に液晶分子の配向状態に応じて変化する。このため、オン状態においては、液晶層ＬＱを通過した少なくとも一部の光は、第２光学素子ＯＤ２の偏光板を透過する（白表示）。
【００６０】
次に、上記した液晶表示装置ＤＳＰの入力面ＩＳへの導体の接触あるいは接近を検出するためのセンシングを行うセンシング駆動時の動作について説明する。すなわち、液晶表示装置ＤＳＰの駆動ＩＣチップＩＣ１，ＩＣ２及び制御モジュールＣＭで形成される制御部（制御アセンブリ）は、第１モード及び第２モードの一方に切替えて共通電極ＣＥ及び複数の検出電極Ｒｘの駆動を制御し、センシングを行う。なお、第１モードはセルフ検出（Self-Capacitive Sensing）モード又は自己容量方式と、第２モードはミューチャル検出（Mutual-Capacitive Sensing）モード又は相互容量方式と、それぞれ称される場合がある。
【００６１】
〈第１モード〉
始めに、検出電極Ｒｘにて第１入力位置情報を検出する第１モード（セルフ検出モード）について説明する。第１モードは、入力領域の全体を対象とし、短時間に入力位置のＸ座標及びＹ座標を大まかに検出することができる特長を有している。後述するように、Ｘ座標は容量按分から検出することができる。
【００６２】
図８に示すように、まず、制御部は、各々の検出電極Ｒｘの第１電極Ｒ１及び第２電極Ｒ２に第１書込み信号Ｖｗ１を書込む。図９に示すように、その後、制御部は、第１電極Ｒ１から第１書込み信号Ｖｗ１の変化を示す第１読取り信号Ｖｒ１ａを読取り、第２電極Ｒ２から第１書込み信号Ｖｗ１の変化を示す第２読取り信号Ｖｒ１ｂを読取る。
【００６３】
図８及び図９に示すように、この例では、列方向Ｙにおける２行目の検出電極Ｒｘの右領域に利用者の指が近接し、上記領域と指との間に静電容量結合が生じる。２行目の検出電極Ｒｘから読取った第１読取り信号Ｖｒ１ａ及び第２読取り信号Ｖｒ１ｂに、２行目以外の検出電極Ｒｘから読取った第１読取り信号Ｖｒ１ａ及び第２読取り信号Ｖｒ１ｂより大きな電圧値の変化が生じる。このため、２行目の検出電極Ｒｘと対向した領域を入力位置のＹ座標であると判断することができる。
【００６４】
また、指と対向する第１電極Ｒ１の面積より、指と対向する第２電極Ｒ２の面積の方が大きくなる。言い換えると、指と第１電極Ｒ１との間に生じる容量Ｃｘ１より、指と第２電極Ｒ２との間に生じる容量Ｃｘ２の方が大きくなる。
【００６５】
このため、２行目の検出電極Ｒｘから読取った第１読取り信号Ｖｒ１ａと第２読取り信号Ｖｒ１ｂとを比較すると、第１読取り信号Ｖｒ１ａより第２読取り信号Ｖｒ１ｂに大きな電圧値の変化が生じる。このため、表示領域ＤＡの右領域を入力位置のＸ座標であると判断することができる。
【００６６】
〈第２モード〉
次に、検出電極Ｒｘ及び共通電極ＣＥの組合せにて第２入力位置情報を検出する第２モード（ミューチャル検出モード）について説明する。第２モードは、入力領域の少なくとも一部を対象とし、入力位置のＸ座標及びＹ座標を詳細に検出することができる特長を有している。
【００６７】
図１０に示すように、分割電極Ｃ１と第１電極Ｒ１との間には容量Ｃｃ１が存在し、分割電極Ｃ１と第２電極Ｒ２との間には容量Ｃｃ２が存在する。すなわち、第１電極Ｒ１及び第２電極Ｒ２は、それぞれ分割電極Ｃ１（共通電極ＣＥ）と静電容量結合する。この例では、利用者の指が２行目の検出電極Ｒｘと、行方向Ｘにおける５列目の分割電極Ｃ１とが交差する位置に近接して存在するものとする。検出電極Ｒｘに近接している利用者の指により、容量Ｃｘ１，Ｃｘ２が生じる。
【００６８】
まず、制御部は、共通電極ＣＥにパルス状の第２書込み信号（センサ駆動信号）Ｖｗ２を書込み、それぞれ共通電極ＣＥと各々の検出電極のＲｘ第１電極Ｒ１との間と共通電極ＣＥと各々の検出電極Ｒｘの第２電極Ｒ２との間とにセンサ信号を発生させる。次いで、制御部は、複数の検出電極Ｒｘのうちの少なくとも１個の検出電極Ｒｘの第１電極Ｒ１からセンサ信号（例えば、第１電極Ｒ１に生じる静電容量）の変化を示す第３読取り信号Ｖｒ２ａを読取り、上記少なくとも１個の検出電極Ｒｘの第２電極Ｒ２からセンサ信号（例えば、第２電極Ｒ２に生じる静電容量）の変化を示す第４読取り信号Ｖｒ２ｂを読取る。その後、同一の検出電極Ｒｘから読取った第３読取り信号Ｖｒ２ａ及び第４読取り信号Ｖｒ２ｂを１つの信号に束ねる。この例では、接続素子Ｅ１を用いて第３読取り信号Ｖｒ２ａ及び第４読取り信号Ｖｒ２ｂを１つの信号に束ね、第３読取り信号Ｖｒ２ａ及び第４読取り信号Ｖｒ２ｂを合成した合成信号Ｖｃを生成している。
【００６９】
この例では、５列目の分割電極Ｃ１に第２書込み信号Ｖｗ２を供給したタイミングで２行目の検出電極Ｒｘから得られるパルス状の合成信号Ｖｃのレベルは、同一のタイミングで２行目以外の検出電極Ｒｘから得られるパルス状の合成信号Ｖｃのレベルや、他のタイミングで各検出電極Ｒｘから得られるパルス状の合成信号Ｖｃのレベルより低くなる。  
このため、第２書込み信号Ｖｗ２が分割電極Ｃ１に供給されるタイミングと、各検出電極Ｒｘからの合成信号Ｖｃと、に基づいて、第２入力位置情報を検出することができる。
【００７０】
ここで、上記第２モードによる入力位置情報の検出は、第１モードにて指の大まかな入力位置情報を検出した後に行うことができる。上記の例では、第１モードにて、２行目の検出電極Ｒｘの右領域と対向する領域に入力があったことを特定したため、上記領域のみ、又は上記領域近傍のみを対象とし、第２モードにて入力位置のＸ座標及びＹ座標を詳細に検出してもよい。
【００７１】
例えば、第２書込み信号Ｖｗ２を書込む対象を４乃至６列目の分割電極Ｃ１に限定し、取得する合成信号Ｖｃの対象を１乃至３行目の検出電極Ｒｘから得られる合成信号Ｖｃに限定することができる。これにより、入力領域のうちの一部である特定領域のみを対象とし、第２モードにて入力位置のＸ座標及びＹ座標を細かく又は正確に検出することができる。
【００７２】
図１１に示すように、１フレーム期間（１Ｆ）に、第１センシング期間Ｐｓ１に行う第１モードによる検出と、第２センシング期間Ｐｓ２に行う第２モードによる検出と、を２回繰り返し行うことができる。
【００７３】
ここで、検出回路ＲＣに注目する。検出回路ＲＣは、第２モードにて、第３読取り信号Ｖｒ２ａ及び第４読取り信号Ｖｒ２ｂを検出の対象としていない。接続素子Ｅ１を用いたことにより、検出回路ＲＣは、第２モードにて、合成信号Ｖｃを検出の対象とすることができる。検出回路ＲＣは、検出電極Ｒｘの個数と同数の検出器を有していれば全ての合成信号Ｖｃを検出することができる。このため、接続素子Ｅ１を用いたことにより、検出回路ＲＣの構成をシンプルにすることができ得る。
【００７４】
上記のように構成された第１の実施形態に係るセンサ付き液晶表示装置ＤＳＰによれば、液晶表示装置ＤＳＰは、共通電極ＣＥを有する液晶表示パネルＰＮＬと、静電容量型のセンサＳＥと、制御部と、を備える。センサＳＥの各検出電極Ｒｘは、第１電極Ｒ１及び第２電極Ｒ２を含んでいる。第１電極Ｒ１は、三角形状に形成され、行方向Ｘの前方より後方に大きな面積を有している。第２電極は、三角形状に形成され、行方向Ｘの後方より前方に大きな面積を有している。
【００７５】
制御部は、第１モード及び第２モードの一方に切替えて共通電極ＣＥ及び検出電極Ｒｘの駆動を制御する。例えば、制御部は、第１モードにて、入力領域の全体を対象とし、検出電極Ｒｘにて第１入力位置情報を検出することにより、短時間に入力位置のＸ座標及びＹ座標を大まかに検出することができる。これにより、上記第１入力位置情報に基づいて入力領域のうちから検出対象の領域を特定することができる。その後、制御部は、入力領域のうちの特定領域のみを対象とし、第２モードにて、検出電極Ｒｘ及び共通電極ＣＥの組合せにて第２入力位置情報を検出することにより、特定領域における入力位置のＸ座標及びＹ座標を細かく又は正確に検出することができる。
【００７６】
そして、上記のように第１モード及び第２モードを併用することにより、第１モードのみを採用した場合と比べて入力位置を細かく検出することができ、また第２モードのみを採用した場合と比べて速やかに入力位置を検出することができる。  
本実施形態において、第１書込み信号Ｖｗ１が単一の検出電極Ｒｘに書込まれるものではない。上記のように、検出電極Ｒｘは、分断された第１電極Ｒ１及び第２電極Ｒ２で形成されている。第１書込み信号Ｖｗ１は、第１電極Ｒ１及び第２電極Ｒ２に独立して書込まれる。第１電極Ｒ１の面積及び第２電極Ｒ２の面積は、検出電極Ｒｘの面積の略半分であり、小さい。第１電極Ｒ１及び第２電極Ｒ２の寄生容量を低減することができるため、第１電極Ｒ１及び第２電極Ｒ２の負荷を低減し、第１電極Ｒ１及び第２電極Ｒ２の時定数を小さくすることができる。これにより、時定数の小さい第１電極Ｒ１及び第２電極Ｒ２を用いることができる分、センシングに要する時間の短縮に寄与することができ得る。
【００７７】
上記のことから、検出電極Ｒｘにて第１入力位置情報を検出することができ検出電極Ｒｘ及び共通電極ＣＥの組合せにて第２入力位置情報を検出することができるセンサ付き液晶表示装置ＤＳＰを得ることができる。
【００７８】
（第１の実施形態の変形例１）  
次に、上記第１の実施形態の変形例１に係るセンサ付き液晶表示装置ＤＳＰについて詳細に説明する。本実施形態に係る液晶表示装置ＤＳＰは、接続素子Ｅ２を利用する点を除き、上記第１の実施形態係る液晶表示装置ＤＳＰと同様に形成されている。本変形例１では、入力位置の座標の検出がより大まかになるものの、検出回路ＲＣの構成をよりシンプルにすることができ得る。
【００７９】
図１２に示すように、制御部は、第１モードにおいて、複数の検出電極Ｒｘのうち列方向Ｙに連続して位置した２個の検出電極Ｒｘから読取った２つの第１読取り信号Ｖｒ１ａと２つの第２読取り信号Ｖｒ１ｂとをそれぞれ１つの信号に束ねる。この例では、接続素子Ｅ２を用いて２つの第１読取り信号Ｖｒ１ａを１つの信号に束ね、２つの第１読取り信号Ｖｒ１ａを合成した合成信号Ｖｄを生成している。さらに、接続素子Ｅ２を用いて２つの第２読取り信号Ｖｒ１ｂを１つの信号に束ね、２つの第２読取り信号Ｖｒ１ｂを合成した合成信号Ｖｄを生成している。
【００８０】
ここで、検出回路ＲＣに注目する。検出回路ＲＣは、第１モードにて、第１読取り信号Ｖｒ１ａ及び第２読取り信号Ｖｒ１ｂを検出の対象としていない。接続素子Ｅ２を用いたことにより、検出回路ＲＣは、第１モードにて、合成信号Ｖｄを検出の対象とすることができる。検出回路ＲＣは、検出電極Ｒｘの個数と同数の検出器を有していれば全ての合成信号Ｖｄを検出することができる。このため、接続素子Ｅ２を用いたことにより、検出回路ＲＣの構成をシンプルにすることができ得る。
【００８１】
なお、第１モードにおいて、複数の検出電極Ｒｘのうち列方向Ｙに連続して位置した２個以上の検出電極Ｒｘから読取った２以上の第１読取り信号Ｖｒ１ａと２以上の第２読取り信号Ｖｒ１ｂとをそれぞれ１つの信号に束ねてもよい。  
言い換えれば、２個以上の第１電極Ｒ１から読取った２以上の第１読取り信号Ｖｒ１ａを１つに合成したり、２個以上の第２電極Ｒ２から読取った２以上の第２読取り信号Ｖｒ１ｂを１つに合成したりしてもよい。  
１個の第１電極Ｒ１及び１個の第２電極Ｒ２をそれぞれ１個の検出電極として機能させると、より細かい検出が可能となる。一方、複数の第１電極Ｒ１を１個の検出電極として機能させたり、複数の第２電極Ｒ２を１個の検出電極として機能させたりすると、検出時間を短縮することが可能となる。あるいは、複数の第１電極Ｒ１を１個の検出電極として機能させたり、複数の第２電極Ｒ２を１個の検出電極として機能させたりすると、検出回路ＲＣへの負担を軽くすることができ、検出回路ＲＣの構成をよりシンプルにすることができ得る。
【００８２】
（第１の実施形態の変形例２）  
次に、上記第１の実施形態の変形例２に係るセンサ付き液晶表示装置ＤＳＰについて詳細に説明する。本実施形態に係る液晶表示装置ＤＳＰは、第１電極Ｒ１及び第２電極Ｒ２の配列を除き、上記第１の実施形態係る液晶表示装置ＤＳＰと同様に形成されている。  
図１３に示すように、列方向Ｙにおいて、２個の第１電極Ｒ１と２個の第２電極Ｒ２とが交互に並べられていてもよい。ここでは、奇数行目の検出電極Ｒｘにおいて、平面視で上側に第１電極Ｒ１が位置し、平面視で下側に第２電極Ｒ２が位置している。一方、偶数行目の検出電極Ｒｘにおいて、平面視で上側に第２電極Ｒ２が位置し、平面視で下側に第１電極Ｒ１が位置している。本実施の形態では、第１電極Ｒ１の検出線ＬＢ１及び第２電極の検出線ＬＢ２が、平面視で上側と下側に配置される例を示している。当該上下関係は、交互であってもよいし、交互でなく非対称であってもよい。ただし、当該上下関係が非対称であっても、第１電極Ｒ１と２個の第２電極Ｒ２の面積は同等であることが好ましい。
【００８３】
（第１の実施形態の変形例３）  
次に、上記第１の実施形態の変形例３に係るセンサ付き液晶表示装置ＤＳＰについて詳細に説明する。本実施形態に係る液晶表示装置ＤＳＰは、第１電極Ｒ１及び第２電極Ｒ２の構成を除き、上記第１の実施形態係る液晶表示装置ＤＳＰと同様に形成されている。  
図１４に示すように、各検出電極Ｒｘにおいて、第１電極Ｒ１及び第２電極Ｒ２は行方向Ｘに分断されていてもよい。ここでは、奇数行目の検出電極Ｒｘにおいて、検出線ＬＢ１は表示領域ＤＡの行方向Ｘの３分の２（左領域及び中央領域）に位置し、検出線ＬＢ２は表示領域ＤＡの行方向Ｘの３分の１（右領域）に位置している。一方、偶数行目の検出電極Ｒｘにおいて、検出線ＬＢ１は表示領域ＤＡの行方向Ｘの３分の１（左領域）に位置し、検出線ＬＢ２は表示領域ＤＡの行方向Ｘの３分の２（右領域及び中央領域）に位置している。
【００８４】
（第１の実施形態の変形例４）  
次に、上記第１の実施形態の変形例４に係るセンサ付き液晶表示装置ＤＳＰについて詳細に説明する。本実施形態に係る液晶表示装置ＤＳＰは、検出電極Ｒｘ、共通電極ＣＥ及びリード線Ｌ１，Ｌ２の構成を除き、上記第１の実施形態係る液晶表示装置ＤＳＰと同様に形成されている。
【００８５】
図１５に示すように、上記第１の実施形態係る液晶表示装置ＤＳＰと比較して、共通電極ＣＥの各分割電極Ｃ１が行方向Ｘに延出し、検出電極Ｒｘが概ね列方向Ｙに延出している点で相違している。本変形例４において、液晶表示パネルＰＮＬの左上を基準点としたとき、列方向Ｙの負が第１方向となり、行方向Ｘの正が第２方向となる。
【００８６】
また、本変形例４において、第１電極Ｒ１及び第２電極Ｒ２は、ＩＴＯ、ＩＺＯ、ＺｎＯ等の透明な導電材料を利用した透明導電層で形成されている。第１電極Ｒ１は、列方向Ｙの後方より前方に大きな面積を有している。第１電極Ｒ１は、列方向Ｙの後方に突出した先端部を有し、三角形状に形成されている。第２電極Ｒ２は、列方向Ｙの前方より後方に大きな面積を有している。第２電極Ｒ２は、列方向Ｙの前方に突出した先端部を有し、三角形状に形成されている。  
リード線Ｌ１，Ｌ２は、金属線であり、第２基板ＳＵＢ２の第３領域Ａ３に配置されている。
なお、図１５では、第１電極Ｒ１は、リード線Ｌ１との接続部分に近いほどその幅が大きく、接続部分から遠ざかるほどその幅が小さくなる。なお当該幅の変化は連続的でもよく、段階的でもよい。また第２電極Ｒ２とリード線Ｌ２の関係は、第１電極Ｒ１とリード線Ｌ１の関係と逆である。第２電極Ｒ２は、延在する方向に対してリード線Ｌ２との接続部分から距離に応じてその幅が変化する。図１５では、第２電極Ｒ２は、リード線Ｌ２との接続部分に近いほどその幅が小さく、接続部分から遠ざかるほどその幅が大きくなる。
【００８７】
（第２の実施形態）  
次に、第２の実施形態に係る液晶表示装置ＤＳＰについて説明する。この実施形態の液晶表示装置ＤＳＰは、上記第１の実施形態に係る液晶表示装置ＤＳＰと同様に構成されている。ここでは、液晶表示装置ＤＳＰの駆動方法について詳細に説明する。
【００８８】
図１６に示すように、任意の１フレーム（１Ｆ）期間は、前半の表示動作期間Ｐｄに表示動作が行われ、後半の第１センシング期間Ｐｓ１に第１モードによる入力位置情報検出動作が行われる。第１センシング期間Ｐｓ１は、例えばブランキング期間である。ブランキング期間としては、水平ブランキング期間や垂直ブランキング期間等を挙げることができる。
【００８９】
表示動作期間Ｐｄには、ゲート線駆動回路ＧＤからゲート線Ｇに制御信号を与え、ソース線駆動回路ＳＤからソース線Ｓに映像信号Ｖｓｉｇを与え、共通電極駆動回路ＣＤから共通電極ＣＥ（分割電極Ｃ１）にコモン電圧Ｖｃｏｍを与え、液晶表示パネルＰＮＬを駆動する。
【００９０】
制御部は、第１センシング期間Ｐｓ１に、検出電極Ｒｘ（第１電極Ｒ１、第２電極Ｒ２）に書込む第１書込み信号Ｖｗ１と同一の信号である電位調整信号Ｖａを第１書込み信号Ｖｗ１と同期して共通電極ＣＥ（分割電極Ｃ１）に書込んでいる。なお、第１書込み信号Ｖｗ１と電位調整信号Ｖａとは、位相、ローレベルの電位、ハイレベルの電位及び周期に関して同一のパルス信号である。
【００９１】
例えば、制御モジュールＣＭが駆動ＩＣチップＩＣ１及び駆動ＩＣチップＩＣ２に同期信号を与え、第１書込み信号Ｖｗ１及び電位調整信号Ｖａを同期させることができる。または、駆動ＩＣチップＩＣ２がセンサＳＥの駆動（走査）時期を知らせるパルス状のタイミング信号を駆動ＩＣチップＩＣ１に与え、第１書込み信号Ｖｗ１及び電位調整信号Ｖａを同期させることができる。
【００９２】
上記のように構成された第２の実施形態においても、上記第１の実施形態で得られる効果と同様の効果を得ることができる。  
第１センシング期間Ｐｓ１に、第１書込み信号Ｖｗ１と同一波形を有する電位調整信号Ｖａを第１書込み信号Ｖｗ１と同期して共通電極ＣＥに書込んでいる。これにより、検出電極Ｒｘと共通電極ＣＥとの間に形成される寄生容量が除去される期間（Ｐｓ１）を設けることができるため、センサＳＥを第１モードにて一層良好に駆動することができ、第１入力位置情報を検出する精度のさらなる向上を図ることができる。
【００９３】
（第３の実施形態）  
次に、第３の実施形態に係る液晶表示装置ＤＳＰについて説明する。  
図１７及び図１８に示すように、液晶表示装置ＤＳＰは、第１絶縁基板１０及び第２絶縁基板２０と異なる第３絶縁基板３０をさらに備えている。第３絶縁基板３０は、ガラス基板や樹脂基板などの光透過性を有する基板である。この実施形態に置いて、第３絶縁基板３０はガラスで形成され、液晶表示装置ＤＳＰの表面に位置するカバーガラスとして機能している。ここでは、液晶表示装置ＤＳＰの入力面ＩＳは第３絶縁基板３０の表面である。第３絶縁基板３０は、液晶表示パネルＰＮＬの外側に位置し、液晶表示パネルＰＮＬの表示領域ＤＡ及び非表示領域ＮＤＡと対向している。
【００９４】
第３絶縁基板３０には、周辺遮光層ＰＬＳ及びシールド電極ＳＨが形成されている。周辺遮光層ＰＬＳは、矩形枠状に形成され、非表示領域ＮＤＡと対向している。周辺遮光層ＰＬＳは、例えば黒色樹脂で形成されている。シールド電極ＳＨは、非表示領域ＮＤＡと対向している。シールド電極ＳＨのサイズは、周辺遮光層ＰＬＳのサイズより小さい。シールド電極ＳＨは、複数のリード線Ｌ１，Ｌ２と周辺遮光層ＰＬＳとの間に位置している。この実施形態において、シールド電極ＳＨは矩形枠状に形成されている。但し、シールド電極ＳＨの形状は種々変形可能であり、複数のリード線Ｌ１，Ｌ２と対向する位置に形成されていればよい。シールド電極ＳＨは、例えば、指とリード線Ｌ１，Ｌ２との間に生じる静電容量結合を防止することができる。
【００９５】
シールド電極ＳＨは、フレキシブル配線基板ＦＰＣ４等を介して制御部に接続され、制御部によって駆動が制御される。シールド電極ＳＨの駆動を制御する制御部としては、制御モジュールＣＭ又は駆動ＩＣチップＩＣ２を挙げることができる。制御部は、第１モードにおいて、第１書込み信号Ｖｗ１と同一波形を有する電位調整信号Ｖｂを第１書込み信号Ｖｗ１と同期してシールド電極ＳＨに書込む。
【００９６】
ここで、シールド電極ＳＨの駆動の例を説明する。  
図１９に示すように、制御部は、第１センシング期間Ｐｓ１に、検出電極Ｒｘ及びリード線Ｌ１，Ｌ２に書込む第１書込み信号Ｖｗ１と同一の信号である電位調整信号Ｖｂを第１書込み信号Ｖｗ１と同期してシールド電極ＳＨに書込んでいる。なお、第１書込み信号Ｖｗ１と電位調整信号Ｖｂとは、位相、ローレベルの電位、ハイレベルの電位及び周期に関して同一のパルス信号である。
【００９７】
上記のことから、リード線Ｌ１，Ｌ２とシールド電極ＳＨとの間に形成される寄生容量が除去される期間（Ｐｓ１）を設けることができるため、センサＳＥを第１モードにて一層良好に駆動することができ、第１入力位置情報を検出する精度のさらなる向上を図ることができる。なお、シールド電極ＳＨに電位調整信号Ｖｂを書込む際、共通電極ＣＥに上記電位調整信号Ｖａを書込んでもよい。これにより、さらに、第１入力位置情報を検出する精度の向上を図ることができる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９９】
例えば、制御部は、表示動作期間Ｐｄに、共通電極ＣＥと画素電極ＰＥとの間に電圧を印加させ、第１モードに切替えて検出電極Ｒｘの駆動を制御してもよい。この場合、第１モードにおいて、パルス信号である第１書込み信号Ｖｗ１のローレベルの電位は、共通電極ＣＥの電位（コモン電圧Ｖｃｏｍ）と同一であってもよい。これにより、検出電極Ｒｘと共通電極ＣＥとの間に形成される寄生容量（負荷容量）の低減を図ることができる。
【０１００】
上記第１電極Ｒ１及び第２電極Ｒ２の形状は、三角形状や帯状に限定されるものではなく、種々変形可能である。第１電極Ｒ１は、検出電極Ｒｘが延在する第１方向の前方より後方に大きな面積を有していればよい。第２電極Ｒ２は、検出電極Ｒｘが延在する第１方向の後方より前方に大きな面積を有していればよい。  
言い換えると、上記検出電極Ｒｘの第１電極Ｒ１及び第２電極Ｒ２は、それぞれ第１方向に応じてその幅に勾配を有し、第１電極Ｒ１の幅の勾配と第２電極Ｒ２の幅の勾配とが逆の傾向にあればよい。
【０１０１】
制御部が第１モード（セルフ検出モード）及び第２モード（ミューチャル検出モード）の一方に切替える際、第１モード及び第２モードに交互に切替えたり、どちらか複数回毎に第１モード及び第２モードに切替えたり、してもよい。第１モード及び第２モードで得たデータを補間することにより、タッチのレポートレートを向上させることができる。
【０１０２】
上述した実施形態では、表示装置として、液晶表示装置を例に開示した。しかし、上述した実施形態は、有機ＥＬ（electroluminescent）表示装置、その他の自発光型表示装置、あるいは電気泳動素子等を有する電子ペーパ型表示装置等、あらゆるフラットパネル型の表示装置に適用可能である。また、上述した実施形態は、中小型の表示装置から大型の表示装置まで、特に限定することなく適用が可能であることは言うまでもない。
【０１０３】
以下に、本願の特許請求の範囲に記載された発明を付記する。
［Ｃ１］共通電極を有する表示パネルと、
それぞれ第１方向に延在し前記第１方向に交差する第２方向に配列された複数の検出電極を有するセンサであって、各々の前記検出電極はそれぞれ前記共通電極と対向し分断され前記第１方向に延在した第１電極及び第２電極を含み、前記第１電極は前記検出電極のうちの前記第１方向の前方より後方に大きな面積を有し、前記第２電極は前記検出電極のうちの前記第１方向の後方より前方に大きな面積を有する、前記センサと、
第１モード及び第２モードの一方に切替えて前記共通電極及び複数の検出電極の駆動を制御する制御部と、を備え、
前記制御部は、
前記第１モードにおいて、各々の前記検出電極の前記第１電極及び第２電極に第１書込み信号を書込み、前記第１電極から前記第１書込み信号の変化を示す第１読取り信号を読取り、前記第２電極から前記第１書込み信号の変化を示す第２読取り信号を読取り、
前記第２モードにおいて、前記共通電極に第２書込み信号を書込み、それぞれ前記共通電極と各々の前記検出電極の前記第１電極との間と前記共通電極と各々の前記検出電極の前記第２電極との間とにセンサ信号を発生させ、前記複数の検出電極のうちの少なくとも１個の検出電極の前記第１電極から前記センサ信号の変化を示す第３読取り信号を読取り、前記少なくとも１個の検出電極の前記第２電極から前記センサ信号の変化を示す第４読取り信号を読取り、同一の前記検出電極から読取った前記第３読取り信号及び第４読取り信号を１つの信号に束ねる、センサ付き表示装置。  
［Ｃ２］前記第１電極は、前記第１方向の前方に突出した先端部を有し、三角形状に形成され、
前記第２電極は、前記第１方向の後方に突出した先端部を有し、三角形状に形成されている、［Ｃ１］に記載のセンサ付き表示装置。
［Ｃ３］共通電極を有する表示パネルと、
それぞれ第１方向に延在し前記第１方向に交差する第２方向に配列された複数の検出電極を有するセンサであって、各々の前記検出電極はそれぞれ前記共通電極と対向し分断され前記第１方向に延在した第１電極及び第２電極を含み、前記第１電極及び前記第２電極のそれぞれは前記検出電極のうちの前記第１方向に応じてその幅に勾配を有し、前記第１電極の幅の勾配と前記第２電極の幅の勾配は逆の傾向である、前記センサと、
第１モード及び第２モードの一方に切替えて前記共通電極及び複数の検出電極の駆動を制御する制御部と、を備え、
前記制御部は、
前記第１モードにおいて、各々の前記検出電極の前記第１電極及び第２電極に第１書込み信号を書込み、前記第１電極から前記第１書込み信号の変化を示す第１読取り信号を読取り、前記第２電極から前記第１書込み信号の変化を示す第２読取り信号を読取り、
前記第２モードにおいて、前記共通電極に第２書込み信号を書込み、それぞれ前記共通電極と各々の前記検出電極の前記第１電極との間と前記共通電極と各々の前記検出電極の前記第２電極との間とにセンサ信号を発生させ、前記複数の検出電極のうちの少なくとも１個の検出電極の前記第１電極から前記センサ信号の変化を示す第３読取り信号を読取り、前記少なくとも１個の検出電極の前記第２電極から前記センサ信号の変化を示す第４読取り信号を読取り、同一の前記検出電極から読取った前記第３読取り信号及び第４読取り信号を１つの信号に束ねる、センサ付き表示装置。
［Ｃ４］前記第１電極は及び前記第２電極は、点対称に配置された三角形状の電極である、［Ｃ１］又は［Ｃ３］に記載のセンサ付き表示装置。
［Ｃ５］前記共通電極は、それぞれ前記第２方向に延在し分断された複数の分割電極を有する、［Ｃ１］又は［Ｃ３］に記載のセンサ付き表示装置。
［Ｃ６］前記制御部は、
前記第１モードにおいて、前記複数の検出電極のうち前記第２方向に連続して位置した２個以上の検出電極から読取った２以上の第１読取り信号と２以上の第２読取り信号とをそれぞれ１つの信号に束ねる、［Ｃ１］又は［Ｃ３］に記載のセンサ付き表示装置。
［Ｃ７］前記第１書込み信号は、パルス信号であり、
前記第１モードにおいて、前記パルス信号のローレベルの電位は、前記共通電極の電位と同一である、［Ｃ１］又は［Ｃ３］に記載のセンサ付き表示装置。
［Ｃ８］前記制御部は、
前記第１モードにおいて、前記第１書込み信号と同一波形を有する電位調整信号を前記第１書込み信号と同期して前記共通電極に書込む、［Ｃ１］又は［Ｃ３］に記載のセンサ付き表示装置。
［Ｃ９］前記表示パネルの外側に位置し前記表示パネルの表示領域及び前記表示領域の外側の非表示領域に対向した絶縁基板と、
前記絶縁基板に設けられ前記非表示領域と対向し前記制御部によって駆動が制御されるシールド電極と、をさらに備え、
前記センサは、前記第１電極及び第２電極に接続され前記非表示領域と対向した複数のリード線をさらに有し、
前記制御部は、前記第１モードにおいて、前記第１書込み信号と同一波形を有する電位調整信号を前記第１書込み信号と同期して前記シールド電極に書込む、［Ｃ１］又は［Ｃ３］に記載のセンサ付き表示装置。
［Ｃ１０］前記絶縁基板に設けられ前記非表示領域と対向した周辺遮光層をさらに備え、
前記シールド電極は、前記複数のリード線と前記周辺遮光層との間に位置している、［Ｃ９］に記載のセンサ付き表示装置。
［Ｃ１１］前記表示パネルは画素電極をさらに有し、
前記制御部は、表示動作期間に、前記共通電極と前記画素電極との間に電圧を印加させ、前記第１モードに切替えて前記検出電極の駆動を制御する、［Ｃ１］又は［Ｃ３］に記載のセンサ付き表示装置。
［Ｃ１２］共通電極を有する表示パネルと、
それぞれ第１方向に延在し前記第１方向に交差する第２方向に配列された複数の検出電極と複数のリード線とを有するセンサであって、各々の前記検出電極はそれぞれ前記共通電極と対向し分断され前記第１方向に延在した第１電極及び第２電極を含み、前記第１電極は前記検出電極のうちの前記第１方向の前方より後方に大きな面積を有し、前記第２電極は前記検出電極のうちの前記第１方向の後方より前方に大きな面積を有し、前記複数のリード線は前記第１電極及び第２電極に一対一で接続された、前記センサと、を備える、センサ付き表示装置。
【符号の説明】
【０１０４】
ＤＳＰ…液晶表示装置、ＰＮＬ…液晶表示パネル、ＳＵＢ１…第１基板、１０…第１絶縁基板、ＰＸ…画素、ＣＥ…共通電極、Ｃ１…分割電極、ＰＥ…画素電極、ＳＵＢ２…第２基板、２０…第２絶縁基板、ＬＱ…液晶層、ＳＥ…センサ、Ｒｘ…検出電極、Ｒ１…第１電極、Ｒ２…第２電極、Ｌ１，Ｌ２…リード線、ＤＲ…ダミー電極、ＰＬＳ…周辺遮光層、ＳＨ…シールド電極、ＩＣ１，ＩＣ２…駆動ＩＣチップ、ＣＭ…制御モジュール、ＤＡ…表示領域、ＮＤＡ…非表示領域、Ｘ…行方向、Ｙ…列方向。
【図１】
2016024292.tif 000003
【図２】
2016024292.tif 000004
【図３】
2016024292.tif 000005
【図４】
2016024292.tif 000006
【図５】
2016024292.tif 000007
【図６】
2016024292.tif 000008
【図７】
2016024292.tif 000009
【図８】
2016024292.tif 000010
【図９】
2016024292.tif 000011
【図１０】
2016024292.tif 000012
【図１１】
2016024292.tif 000013
【図１２】
2016024292.tif 000014
【図１３】
2016024292.tif 000015
【図１４】
2016024292.tif 000016
【図１５】
2016024292.tif 000017
【図１６】
2016024292.tif 000018
【図１７】
2016024292.tif 000019
【図１８】
2016024292.tif 000020
【図１９】
2016024292.tif 000021